(57)【要約】【課題】設置場所の変更が容易であり、低コストの電波吸収体を提供する。【解決手段】移動可能な物体１２が部屋３０の内部に配置されている。そして、この物体１２には単層の導電層で構成された電波吸収膜４６が設けられている。よって、電波吸収膜４６により、部屋３０の内部で発生した電波Ｕを吸収することができる。また、電波吸収膜４６が設けられた物体１２の配置を容易に変更することができる。また、電波吸収膜４６は単層の導電層で構成された簡単な構造なので低コストであり、物体１２に容易に設けることができる。【選択図】図１
2008108832.tif 000002
【特許請求の範囲】
【請求項１】
部屋の内部に配置された移動可能な物体と、
前記物体に設けられた電波吸収膜と、
を備え、
前記電波吸収膜は、単層の導電層で構成されていることを特徴とする電波吸収体。
【請求項２】
前記電波吸収膜の外側に誘電体が設けられていることを特徴とする請求項１に記載の電波吸収体。
【請求項３】
前記部屋は、床、壁、及び天井の一部又は全部に設けられた反射層で覆われ、前記反射層は、前記部屋の内部で発生した電波を反射することを特徴とする請求項１又は２に記載の電波吸収体。
【請求項４】
前記物体は、家具であることを特徴とする請求項１〜３の何れか１項に記載の電波吸収体。
【発明の詳細な説明】
【技術分野】
【０００１】
本発明は、部屋の内部で発生した電波を吸収する電波吸収体に関する。
【背景技術】
【０００２】
図７に示すように、部屋２００の内部で使用するパソコン２０２、無線ＬＡＮ（不図示）、携帯電話２０４等の機器からは電波Ｇが発生するので、この電波Ｇが部屋の外部に漏洩することを防ぐために部屋２００の内壁を電波シールド層２０６で覆うことがある。
【０００３】
しかし、機器から発生した電波Ｇは部屋２００の内壁で何度も反射を繰り返し、長い時間を掛けて減衰するので、複数の機器を使用している場合には機器の性能に悪影響を与える。また、部屋２００の内部に居る人への影響も懸念される。
【０００４】
この問題を解決するために、図８に示すように、シールドされた部屋の天井等に電波吸収体２０８が取り付けられた部屋構造が実用化されている。これにより、部屋２００の中で発生した電波を短時間で低減することが可能となる。
【０００５】
しかし、このような電波吸収体２０８を壁や天井に取り付ける際には内装工事が必要となる。また、電波Ｇを発生する機器の配置変更に対応するために、電波吸収体２０８を床、壁、又は天井の全体に設けておくのは不経済である。
【０００６】
図９に示すように、特許文献１の電波吸収体２１２は、極細導電繊維を含んだ透明な抵抗膜２１４と、光を透過する電波反射体２１６との間に、透明な誘電体層２１８を備えたものである。
【０００７】
しかし、シールドされた部屋の天井等に電波吸収体２１２を設けようとした場合、電波吸収体２１２は複雑な多層構造になっているので高価であり、また、厚さがあるために部屋の壁、天井等に取り付けるのが難しい。
【特許文献１】特開２００５−３１１３３０号公報
【発明の開示】
【発明が解決しようとする課題】
【０００８】
本発明は係る事実を考慮し、設置場所の変更が容易であり、低コストの電波吸収体を提供することを課題とする。
【課題を解決するための手段】
【０００９】
請求項１に記載の発明は、部屋の内部に配置された移動可能な物体と、前記物体に設けられた電波吸収膜と、を備え、前記電波吸収膜は、単層の導電層で構成されていることを特徴としている。
【００１０】
請求項１に記載の発明では、移動可能な物体が部屋の内部に配置されている。そして、この物体には単層の導電層で構成された電波吸収膜が設けられている。
【００１１】
よって、電波吸収膜により、部屋の内部で発生した電波を吸収することができる。電波吸収膜は単層の導電層で構成されているので、部屋の構造部材や部屋の内部にある電波反射物との距離が離れている場合には、広帯域の電波を吸収することができる。
【００１２】
また、部屋の内部の電波の発生状況に応じて、電波吸収膜が設けられた物体の配置を容易に変更（移動）することができる。例えば、電波を発生する機器が多く配置されている付近に電波吸収膜が設けられた物体を多く置いて、部屋全体としての電波吸収効果を高めることができる。
【００１３】
また、電波吸収膜は単層の導電層で構成された簡単な構造なので、低コストである。
【００１４】
また、電波吸収膜は膜材なので、物体に容易に設けることができる。
【００１５】
請求項２に記載の発明は、前記電波吸収膜の外側に誘電体が設けられていることを特徴としている。
【００１６】
請求項２に記載の発明では、電波吸収膜の外側に誘電体が設けられているので、電波吸収膜が設けられた物体を部屋のどこに配置しても、電波吸収膜は部屋の構造部材や電波を反射する物と接触しない。すなわち、電波吸収膜は誘電体を介して、部屋の構造部材や部屋の内部にある電波反射物と非接触な状態を維持することができるので所定の面抵抗値を維持し、電波吸収膜の有する電波吸収性能を効果的に発揮することができる。
【００１７】
請求項３に記載の発明は、前記部屋は、床、壁、及び天井の一部又は全部に設けられた反射層で覆われ、前記反射層は、前記部屋の内部で発生した電波を反射することを特徴としている。
【００１８】
請求項３に記載の発明では、部屋の内部で発生した電波を反射する反射層が、部屋の床、壁、及び天井の一部又は全部に設けられている。そして、この反射層が部屋を覆っている。
【００１９】
電波吸収膜に多重反射が生じると、電波吸収膜は固有の周波数の電波のみを吸収する周波数特性を有するようになるが、この周波数特性は電波吸収膜に対する電波の入射角によって異なる。
【００２０】
そこで、請求項３では、反射層を部屋の床、壁、及び天井の一部又は全部に設け、部屋の内部で発生した電波を反射層によって繰り返し何度も反射させて、さまざまな入射角で電波吸収膜に入射させることにより、広帯域の電波を吸収することができる。
【００２１】
請求項４に記載の発明は、前記物体は、家具であることを特徴としている。
【００２２】
請求項４に記載の発明では、部屋の内部に一般に置かれている家具に電波吸収膜を設けることによって、部屋に電波吸収のための特別なスペースを確保しなくてよい。
【発明の効果】
【００２３】
本発明は上記構成としたので、設置場所の変更が容易であり、低コストの電波吸収体を提供することができる。
【発明を実施するための最良の形態】
【００２４】
図面を参照しながら、本発明の実施形態に係る電波吸収体を説明する。
【００２５】
なお、本実施形態では、建物の部屋に本発明の電波吸収体を適用した例を示すが、これに限らずに、航空機、電車等の部屋空間に対しても本実施形態を適用することができる。
【００２６】
まず、本発明の第１の実施形態に係る電波吸収体について説明する。
【００２７】
図１に示すように、建物の部屋３０を形成する躯体床３２、躯体壁３４、３８、及び躯体天井３６の内面の全部に、反射層としての電波シールド層４０Ａ〜４０Ｄが設けられている。そして、この電波シールド層４０Ａ〜４０Ｄが部屋３０を覆っている。すなわち、部屋３０は電波シールドルームになっている。
【００２８】
部屋３０の内部には、パソコン４２や携帯電話４４が使用されており、パソコン４２の無線ＬＡＮや携帯電話４４の通信時に電波Ｕが発生する。そして、電波シールド層４０Ａ〜４０Ｄは、部屋３０の内部で発生した電波Ｕを反射する。
【００２９】
さらに、部屋３０の内部には、電波吸収体１０、１４、１８、２２、２６が配置されている。
【００３０】
電波吸収体１０は、移動可能な物体としての椅子１２の座部及び背もたれの表面に電波吸収膜４６を設けたものである。椅子１２に用いられるフレーム（不図示）は木製であり、座部及び背もたれの内部は発泡樹脂製のクッション４８によって形成されている。
【００３１】
電波吸収体１４は、移動可能な物体としてのパーティション１６の壁材５２の表面に電波吸収膜５０を設けたものである。壁材５２は木製の合板である。
【００３２】
電波吸収体１８は、移動可能な物体としての電気スタンド２０の笠部５６の表面に電波吸収膜５４を設けたものである。笠部５６は紙によって形成されている。
【００３３】
電波吸収体２２は、移動可能な物体としてのソファー２４の背もたれの背面に電波吸収膜５８を設けたものである。ソファー２４に用いられるフレーム（不図示）は木製であり、ソファー２４の内部は発泡樹脂製のクッション６０及び金属製コイル（不図示）によって形成されている。
【００３４】
電波吸収体２６は、移動可能な物体としての掛軸２８の紙面の裏側に電波吸収膜６２を設けたものである。掛軸２８は、躯体壁３８から突設された支持部６４から吊り下げされている。
【００３５】
また、椅子１２、パーティション１６、電気スタンド２０、ソファー２４、掛軸２８に設けられた電波吸収膜４６、５０、５４、５８、６２は単層の導電層で構成されている。
【００３６】
さらに、椅子１２、パーティション１６、電気スタンド２０、ソファー２４、掛軸２８は、図１に示すように、椅子１２、パーティション１６、電気スタンド２０、ソファー２４、掛軸２８に設けられた電波吸収膜４６、５０、５４、５８、６２が、電波シールド層４０Ａ〜４０Ｄや部屋３０にある電波反射物から離れるように配置されている。
【００３７】
次に、本発明の第１の実施形態に係る電波吸収体の作用及び効果について説明する。
【００３８】
図１に示すように、椅子１２、パーティション１６、電気スタンド２０、ソファー２４、掛軸２８には、電波吸収膜４６、５０、５４、５８、６２が設けられているので、部屋３０の内部で発生した電波Ｕを吸収することができる。
【００３９】
ここで、第１の実施形態で用いられる電波吸収膜４６、５０、５４、５８、６２の電波吸収性について説明する。
【００４０】
図２の各曲線は、フィルムに電波を照射したときの、フィルムの面抵抗値（横軸）に対する電波の反射、透過、及び吸収エネルギーの割合（縦軸）を示している。実線６６は吸収エネルギー、一点鎖線６８は透過エネルギー、二点鎖線７０は反射エネルギーをそれぞれ示している。これらの値は、有限要素法シミュレーションにより計算した結果である。
【００４１】
例えば、フィルムの面抵抗値が十分に低い１．Ｅ−０１（Ω□）程度の金属等の場合には、照射された電波は、ほぼ全て反射される。また逆に、フィルムの面抵抗値が十分に高い１．Ｅ＋０６（Ω□）程度のビニールシート等の絶縁膜の場合には、照射された電波は、ほぼ全て透過される。
【００４２】
そして、フィルムの面抵抗値が６０π（Ω□）（Ａ１点）のときに吸収エネルギーが最大となり、図３に示すように、フィルム７２に照射された電波Ｈの入射エネルギーの５０％が吸収されて（符号Ｈ１）、２５％が透過され（符号Ｈ２）、２５％が反射される（符号Ｈ３）。
【００４３】
このようにフィルムの電波吸収特性は、面抵抗値が６０π（Ω□）（Ａ１点）のときの吸収エネルギーの値５０％を頂点とする正規分布の曲線になり、さらに、図２より、面抵抗値が３０π（Ω□）（Ｂ１点）、１２０π（Ω□）（Ｂ２点）のときに入射エネルギーの４５％が吸収され、面抵抗値が４５π（Ω□）（Ｃ１点）、９０π（Ω□）（Ｃ２点）のときに入射エネルギーの４７．５％が吸収されるので、優れた電波吸収性（照射された電波エネルギーの４５％〜５０％を吸収）を得るためには、フィルムの面抵抗値を３０π（Ω□）〜１２０π（Ω□）とすればよく、４５π（Ω□）〜９０π（Ω□）とするのが好ましく、６０π（Ω□）とするのがより好ましい。
【００４４】
また、これらの特性は、フィルムの導電層が単層であれば周波数に依存しないので、広帯域の電磁波に対して利用できる。
【００４５】
よって、第１の実施形態の椅子１２、パーティション１６、電気スタンド２０、ソファー２４、掛軸２８に設けられた電波吸収膜４６、５０、５４、５８、６２は、ある程度の電波吸収性を有するものであればよいが、優れた電波吸収性（照射された電波エネルギーの４５％〜５０％を吸収）を得るためには、面抵抗値を３０π（Ω□）〜１２０π（Ω□）とすればよく、４５π（Ω□）〜９０π（Ω□）とするのが好ましく、６０π（Ω□）とするのがより好ましい。
【００４６】
また、電波吸収膜４６、５０、５４、５８、６２は、単層の導電層で構成されており、電波シールド層４０Ａ〜４０Ｄや部屋３０の内部にある電波反射物と離れているので、広帯域の電波を吸収することができる。
【００４７】
また、電波吸収膜４６、５０、５４、５８、６２と、電波シールド層４０Ａ〜４０Ｄや部屋３０の内部にある電波反射物が接触していないので所定の面抵抗値を維持し、電波吸収膜４６、５０、５４、５８、６２の有する電波吸収性能を効果的に発揮することができる。
【００４８】
フィルムの面抵抗値が６０π（Ω□）のときに電波吸収エネルギーの値が最大になることは、等価回路をキルヒホッフの法則によって解くことからも立証できる。
【００４９】
図４に示すような、電磁波をフィルムに照射したモデルの等価回路７４にキルヒホッフの法則を適用し、フィルムに到達する電磁波の起電力をＶ、等価回路に流れる電流をＩ１、Ｉ２、空間のインピーダンスをＺ０、フィルムの面抵抗値をＲとすると、式（１）、（２）が得られる。
【００５０】
【数１】
2008108832.tif 000003
【００５１】
【数２】
2008108832.tif 000004
この式（１）、（２）より、フィルムで消費される電力Ｐは式（３）によって算出される。
【００５２】
【数３】
2008108832.tif 000005
さらに、フィルムの面抵抗値Ｒで式（３）を偏微分して電力吸収の極値を求め、空間のインピーダンスＺ０を１２０π（Ω）とすると、式（４）よりフィルムの面抵抗値は６０π（Ω）となり、シミュレーション結果と一致する。
【００５３】
【数４】
2008108832.tif 000006
また、第１の実施形態では、部屋３０の内部で発生する電波の状況に応じて、電波吸収膜が設けられた物体の配置を容易に変更（移動）することができる。例えば、電波を発生する機器が多く配置されている付近に電波吸収膜が設けられた物体を多く置いて、部屋３０全体としての電波吸収効果を高めることができる。
【００５４】
図５は、反射板と電波吸収膜との間隔を１０ｍｍとしたときの電波吸収膜の電波吸収特性を有限要素シミュレーションにより計算した結果である。電波吸収膜の面抵抗値は６０π（Ω□）とした。横軸は電波の周波数であり、縦軸は電波吸収特性である。電波吸収特性のマイナスの値が大きい（縦軸の下に行く）ほど、電波吸収特性が高い（電波吸収量が多い）ことを示している。
【００５５】
電波の入射面に対して偏波面を垂直にしたＴＥ波において、符号７６は入射角が１５°のときの値を示し、符号７８は入射角が３０°のときの値を示し、符号８０は入射角が４５°のときの値を示している。また、電波の入射面に対して偏波面を平行にしたＴＭ波において、符号８２は入射角が１５°のときの値を示し、符号８４は入射角が３０°のときの値を示し、符号８６は入射角が４５°のときの値を示している。また、符号８８は入射角が０°（正面照射）のときの値を示している。
【００５６】
図５に示されているように、電波吸収膜に多重反射が生じると、電波吸収膜の電波吸収特性は固有の周波数で電波吸収のピークを持つ波形となる。すなわち、電波吸収膜は固有の周波数の電波のみを吸収する周波数特性を有するようになる。そして、この周波数特性は電波吸収膜に対する電波の入射角によって異なる。
【００５７】
そこで、これらの特性を生かして、第１の実施形態では、椅子１２、パーティション１６、電気スタンド２０、ソファー２４、掛軸２８に設けられた電波吸収膜４６、５０、５４、５８、６２に多重反射が生じた場合においても、部屋の床、壁、及び天井に設けられた反射層としての電波シールド層４０Ａ〜４０Ｄにより、部屋の内部で発生した電波Ｕを繰り返し何度も反射させて、電波Ｕをさまざまな入射角で椅子１２、パーティション１６、電気スタンド２０、ソファー２４、掛軸２８に設けられた電波吸収膜４６、５０、５４、５８、６２に入射させる。そして、これにより広帯域の電波を吸収することができる。
【００５８】
なお、図５は、電波吸収膜の面抵抗値を６０π（Ω□）としたときの有限要素シミュレーション結果であるが、他の面抵抗値の電波吸収膜を用いた場合においても、「固有の周波数で電波吸収のピークを持つ。」、「周波数特性は電波吸収膜に対する電波の入射角によって異なる。」といった図５と同様の特性を示す。
【００５９】
また、第１の実施形態では移動可能な物体として、椅子１２、パーティション１６、ソファー２４といった家具を用いた例を示したが、部屋の内部に一般に置かれているこのような家具に電波吸収膜を設けることによって、部屋に電波吸収のための特別なスペースを確保しなくてよい。電波吸収膜は、これらの物体の表面に設けてもよいし、内部に設けられていてもよい。
【００６０】
物体は移動可能なものであればよいので、椅子１２やパーティション１６等の他に、机、ベッド、スクリーン、襖、障子、屏風、造花、人工観葉樹、ホワイトボード、カーテン、ブラインド等に電波吸収膜を設けてもよい。但し、スチール板が入っておらず、電波が透過できる構造のものに限る。
【００６１】
また、単層の導電層で構成された電波吸収膜は、物体に間隔を空けて複数設けてもよいし、円筒状のゴミ箱等をカバーするように設けられた円筒状の膜であってもよい。
【００６２】
単層の導電層で構成された電波吸収膜４６、５０、５４、５８、６２は、多層の電波吸収体に比べて一度に吸収できる電波の量は小さい。例えば、先に述べたように、高い電波吸収性を有する面抵抗値が６０π（Ω□）の電波吸収膜においても、電波吸収膜に照射された電波の５０％程度しか吸収できない。しかし、第１の実施形態のように、反射層（電波シールド層４０Ａ〜４０Ｄ）が設けられた部屋内では電波が何度も反射するので数回の反射のうちにエネルギーを低減させることができる。
【００６３】
さらに、電波吸収膜４６、５０、５４、５８、６２は、単層の導電層で構成された簡単な構造なので、低コストである。
【００６４】
また、電波吸収膜４６、５０、５４、５８、６２は膜材なので、物体に容易に設けることができる。電波吸収膜４６、５０、５４、５８、６２は厚さが５μｍ〜６０μｍ程度の薄い膜材である。
【００６５】
なお、反射層としての電波シールド層４０Ａ〜４０Ｄが部屋３０全体を覆う例を示したが、反射層は部屋３０の床、壁、及び天井の一部又は全部に設けられて部屋３０を覆っていればよく、部屋３０には窓や出入り口等の電波が逃げる開口があってもよい。反射層は、部屋３０の内部で発生した電波を反射するものであればよく、鉄筋入りのコンクリート壁、床や天井に配置された金属製のデッキプレート、電波を反射するスチール家具等であってもよい。
【００６６】
また、電波吸収膜４６、５０、５４、５８、６２が、電波シールド層４０Ａ〜４０Ｄや部屋３０にある電波反射物から十分に離れて非接触となるように電波吸収体１０、１４、１８、２２、２６を部屋３０に配置すれば、電波吸収膜４６、５０、５４、５８、６２には多重反射が起こらない。この場合には、電波吸収膜４６、５０、５４、５８、６２は、固有の周波数の電波のみを吸収する周波数特性を持たないので、部屋３０を覆う反射層を設けなくてもよい。
【００６７】
また、電波発生源としてのパソコン４２、携帯電話４４を部屋３０の内部に存在させた例を示したが、第１の実施形態は、広帯域の電波を吸収することができるので、電波を発生するさまざまな機器を部屋３０の内部で使用してもよい。例えば、携帯電話２４の電界強度が低減して使用に支障を来す場合には、ブースタを用いてその周波数だけ増幅すればよい。
【００６８】
次に、本発明の第２の実施形態に係る電波吸収体について説明する。
【００６９】
第２の実施形態は、第１の実施形態の部屋３０に、電波吸収膜の外側に誘電体が設けられた電波吸収体を配置したものである。したがって、以下の説明において、第１の実施形態と同じ構成のものは、同符号を付すると共に、適宜省略して説明する。
【００７０】
図６に示すように、部屋３０の内部には、パソコン４２や携帯電話４４が使用されており、パソコン４２の無線ＬＡＮや携帯電話４４の通信時に電波Ｕが発生する。そして、電波シールド層４０Ａ〜４０Ｄは、部屋３０の内部で発生した電波Ｕを反射する。第２の実施形態では、躯体壁３４に窓ガラス８０が設けられており、窓ガラス８０も電波を反射する。
【００７１】
部屋３０の内部には、電波吸収体８２、９２、１０２、１１２、１２０が配置されている。
【００７２】
電波吸収体８２は、移動可能な物体としての本棚８６の本体８８の背面に電波吸収膜８４を設けたものである。本体８８は木製であり、また、電波吸収膜８４の外側には、誘電体としてのベニヤ板９０が設けられている。
【００７３】
電波吸収体９２は、移動可能な物体としての机１００のボード９８の裏面に電波吸収膜９４を設けたものである。ボード９８と、ボード９８を支持する脚部９６は木製である。すなわち、電波吸収膜９４の外側に誘電体としての脚部９６、ボード９８が設けられている。
【００７４】
電波吸収体１０２は、移動可能な物体としてのソファー１０６の表面付近の内部に、通気性を有する電波吸収膜１０４を設けたものである。ソファー１０６に用いられるフレーム（不図示）は木材であり、ソファー１０６の内部は発泡樹脂製のクッション１１０及び金属製コイル（不図示）によって形成されている。ソファー１０６には、誘電性の布地カバー１０８がかけられている。すなわち、電波吸収膜１０４の外側に誘電体としての布地カバー１０８が設けられている。
【００７５】
電波吸収体１１２は、移動可能な物体としてのカーテン１１６を構成する誘電体としての布地１２９の表側に電波吸収膜１１４を設けたものである。カーテン１１６は、躯体壁３４から突設された誘電性の支持部１１８から吊り下げされている。すなわち、電波吸収膜１１４の外側に誘電体としての布地１２９が設けられている。例えば、部屋３０の内部に居る人がカーテン１１６に触れたり、空調から吹き出す空気等によってカーテン１１６が揺れることによって、カーテン１１６が反射層としての窓ガラス８０に接触しても、電波吸収膜１１４は布地１２９によって窓ガラス８０に直接触れることはない。
【００７６】
電波吸収体１２０は、移動可能な物体としてのホワイトボード１２４の樹脂板１３１の裏面に、電波吸収膜１２２を設けたものである。ホワイトボード１２４は石膏ボード１２６の上面に設けられている。すなわち、電波吸収膜１２２の外側に誘電体としての石膏ボード１２６が設けられている。
【００７７】
また、本棚８６、机１００、ソファー１０６、カーテン１１６、ホワイトボード１２４に設けられた電波吸収膜８４、９４、１０４、１１４，１２２は単層の導電層で構成されている。
【００７８】
さらに、電波吸収体８２、９２、１０２、１２０は、図６に示すように、電波シールド層４０Ａ〜４０Ｄやホワイトボード１２４が設けられた電波シールド層４０Ｅと接触するように配置されている。
【００７９】
次に、本発明の第２の実施形態に係る電波吸収体の作用及び効果について説明する。
【００８０】
第２の実施形態では、第１の実施形態と同様の効果を得ることができる。
【００８１】
また、電波吸収膜８４、９４、１０４、１１４，１２２の外側に誘電体（ベニヤ板９０、脚部９６、ボード９８、布地カバー１０８、布地１２９、石膏ボード１２６）が設けられているので、電波吸収膜８４、９４、１０４、１１４，１２２が設けられた物体（本棚８６、机１００、ソファー１０６、カーテン１１６、ホワイトボード１２４）を部屋３０のどこに配置しても、電波吸収膜は部屋３０の構造部材や部屋３０にある電波反射物と接触しない。すなわち、電波吸収膜は誘電体を介して、部屋３０の構造部材や部屋３０にある電波反射物と非接触な状態を維持することができるので所定の面抵抗値を維持し、電波吸収膜の有する電波吸収性能を効果的に発揮することができる。
【００８２】
なお、移動可能な物体としての椅子等に用いられるフレームが金属製であっても、誘電性を有する樹脂、布地、クッション材等で覆われていればよい。
【００８３】
このように、第１及び第２の実施形態では、移動可能な物体に低コストの電波吸収膜を設けることにより、電波吸収体の設置場所の変更が容易である。
【００８４】
また、第１及び第２の実施形態の電波吸収体は、広帯域の電波を吸収することができるので、部屋の内部で使用する機器を制限することなく、部屋の内部の電磁エネルギー密度を低減することができる。
【００８５】
以上、本発明の実施形態について説明したが、本発明はこうした実施形態に何等限定されるものでなく、本発明の要旨を逸脱しない範囲において、種々なる態様で実施し得ることは勿論である。
【図面の簡単な説明】
【００８６】
【図１】本発明の第１の実施形態に係る電波吸収体が配置された部屋を示す説明図である。
【図２】本発明の第１の実施形態に係る電波吸収膜の面抵抗値に対する電波の吸収、透過、及び反射エネルギーの割合を示す線図である。
【図３】本発明の第１の実施形態に係る電波吸収膜の吸収、透過、反射の状態を示す説明図である。
【図４】本発明の第１の実施形態に係る電波吸収膜の等価回路を示す説明図である。
【図５】本発明の第１の実施形態に係る電波吸収膜の周波数に対する電波吸収特性を示す線図である。
【図６】本発明の第２の実施形態に係る電波吸収体が配置された部屋を示す説明図である。
【図７】従来の電波シールドルームを示す説明図である。
【図８】従来の電波シールドルームを示す説明図である。
【図９】従来の電波吸収体を示す断面図である。
【符号の説明】
【００８７】
１０  電波吸収体
１２  椅子（物体）
１４  電波吸収体
１６  パーティション（物体）
１８  電波吸収体
２０  電気スタンド（物体）
２２  電波吸収体
２４  ソファー（物体）
２６  電波吸収体
２８  掛軸（物体）
３０  部屋
３２  躯体床（床）
３４  躯体壁（壁）
３６  躯体天井（天井）
３８  躯体壁（壁）
４０Ａ  電波シールド層
４０Ｂ  電波シールド層
４０Ｃ  電波シールド層
４０Ｄ  電波シールド層
４０Ｅ  電波シールド層
４６  電波吸収膜
５０  電波吸収膜
５４  電波吸収膜
５８  電波吸収膜
６２  電波吸収膜
８２  電波吸収体
８４  電波吸収膜
８６  本棚（物体）
９０  ベニヤ板（誘電体）
９２  電波吸収体
９４  電波吸収膜
９６  脚部（誘電体）
９８  ボード（誘電体）
１００  机（物体）
１０２  電波吸収体
１０４  電波吸収膜
１０６  ソファー（物体）
１０８  布地カバー（誘電体）
１１２  電波吸収体
１１４  電波吸収膜
１１６  カーテン（物体）
１２０  電波吸収体
１２２  電波吸収膜
１２４  ホワイトボード（物体）
１２６  石膏ボード（誘電体）
１２９  布地（誘電体）
Ｕ  電波
【図１】
2008108832.tif 000007
【図２】
2008108832.tif 000008
【図３】
2008108832.tif 000009
【図４】
2008108832.tif 000010
【図５】
2008108832.tif 000011
【図６】
2008108832.tif 000012
【図７】
2008108832.tif 000013
【図８】
2008108832.tif 000014
【図９】
2008108832.tif 000015